【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
排ガス中の硫黄酸化物を除去する脱硫段階と、
前記脱硫段階の後、前記排ガス中に残存する硫黄酸化物を除去すると共に、ガス温度を下げる冷却段階と、
前記冷却段階の後、前記排ガスをＣＯ２吸収塔内に導入し、前記排ガスをＣＯ２吸収液に接触させてＣＯ２を回収するＣＯ２回収段階と、を含み、
前記ＣＯ２回収段階よりも前に、前記排ガス中に含まれ、前記ＣＯ２吸収塔内で前記ＣＯ２吸収液を取り込んで系外へ飛散する要因となるミストの発生源であるミスト発生物質を除去するミスト発生物質除去段階を含むことを特徴とする、ＣＯ２吸収液の飛散抑制方法。
【請求項２】
前記ミスト発生物質はＳＯ３を含む、請求項１に記載のＣＯ２吸収液の飛散抑制方法。
【請求項３】
前記脱硫段階よりも前に、前記排ガス中の窒素酸化物を除去する脱硝段階を更に含む、請求項１又は請求項２に記載のＣＯ２吸収液の飛散抑制方法。 
【請求項４】
前記脱硫段階よりも前に、前記排ガスの煤塵を除去する煤塵除去段階を更に含む、請求項１又は請求項２に記載のＣＯ２吸収液の飛散抑制方法。
【請求項５】
前記ミスト発生物質除去段階は、
前記煤塵除去段階の前段階であって、前記排ガス中に重亜硫酸ナトリウムを注入するものである、請求項４に記載のＣＯ２吸収液の飛散抑制方法。
【請求項６】
前記ミスト発生物質除去段階は、
前記煤塵除去段階の前段階であって、前記排ガス中にアンモニアを注入するものである、請求項４に記載のＣＯ２吸収液の飛散抑制方法。
【請求項７】
前記ミスト発生物質除去段階は、
前記煤塵除去段階と前記脱硫段階との間の段階であって、前記排ガス中に溶解塩を噴霧するものである、請求項４に記載のＣＯ２吸収液の飛散抑制方法。
【請求項８】
前記ミスト発生物質除去段階は、
前記脱硫段階と前記ＣＯ２回収段階との間の段階であって、湿式電気集塵機によって前記排ガス中のミスト発生物質をミスト状態で除去するものである、請求項１に記載のＣＯ２吸収液の飛散抑制方法。
【請求項９】
前記冷却段階は、冷却塔の冷却部によって前記排ガスのガス温度を下げるものであり、
前記ミスト発生物質除去段階は、前記冷却部の後流の前記冷却塔の塔頂部に設けられたデミスタによって前記排ガス中の微粒子を除去すると共に、排ガス中のミスト発生物質をミスト状態で除去するものである、請求項１に記載のＣＯ２吸収液の飛散抑制方法。
【請求項１０】
前記ミスト発生物質除去段階は、
前記脱硫段階の前段階であって、前記排ガスのガス温度を降下させる第１の熱交換段階と、
前記ガス温度が降下された前記排ガスに炭酸カルシウムを噴霧する炭酸カルシウム噴霧段階とからなる、請求項１に記載のＣＯ２吸収液の飛散抑制方法。
【請求項１１】
前記ミスト発生物質除去段階は、
前記脱硫段階の前段階であって、前記排ガスのガス温度を降下させて前記排ガス中のミスト発生物質をガス状態からミスト状態とする第２の熱交換段階と、
前記ミスト状態のミスト発生物質を煤塵に付着させ乾式の電気集塵機で除去してなる除去段階とからなる、請求項１に記載のＣＯ２吸収液の飛散抑制方法。
【手続補正２】
【補正対象書類名】明細書
【補正対象項目名】発明の名称
【補正方法】変更
【補正の内容】
【発明の名称】ＣＯ２吸収液の飛散抑制方法
【手続補正３】
【補正対象書類名】明細書
【補正対象項目名】０００８
【補正方法】変更
【補正の内容】
【０００８】
本発明は、前記問題に鑑み、系外にＣＯ２を除去した排ガスを排出する際に、ＣＯ２吸収液の同伴を大幅に低減すると共に、適正な排ガス処理を行うことができるＣＯ２吸収液の飛散抑制方法を提供することを課題とする。
【手続補正４】
【補正対象書類名】明細書
【補正対象項目名】０００９
【補正方法】変更
【補正の内容】
【０００９】
本発明のＣＯ２吸収液の飛散抑制方法は、排ガス中の硫黄酸化物を除去する脱硫段階と、前記脱硫段階の後、前記排ガス中に残存する硫黄酸化物を除去すると共に、ガス温度を下げる冷却段階と、前記冷却段階の後、前記排ガスをＣＯ２吸収塔内に導入し、前記排ガスをＣＯ２吸収液に接触させてＣＯ２を回収するＣＯ２回収段階と、を含み、前記ＣＯ２回収段階よりも前に、前記排ガス中に含まれ、前記ＣＯ２吸収塔内で前記ＣＯ２吸収液を取り込んで系外へ飛散する要因となるミストの発生源であるミスト発生物質を除去するミスト発生物質除去段階を含むことを特徴とする。
【手続補正５】
【補正対象書類名】明細書
【補正対象項目名】００１０
【補正方法】変更
【補正の内容】
【００１０】
本発明のＣＯ２吸収液の飛散抑制方法においては、前記ミスト発生物質はＳＯ３を含むことが好ましい。
【手続補正６】
【補正対象書類名】明細書
【補正対象項目名】００１１
【補正方法】変更
【補正の内容】
【００１１】
本発明のＣＯ２吸収液の飛散抑制方法においては、前記脱硫段階よりも前に、前記排ガス中の窒素酸化物を除去する脱硝段階を更に含むことが好ましい。
【手続補正７】
【補正対象書類名】明細書
【補正対象項目名】００１２
【補正方法】変更
【補正の内容】
【００１２】
本発明のＣＯ２吸収液の飛散抑制方法においては、前記脱硫段階よりも前に、前記排ガスの煤塵を除去する煤塵除去段階を更に含むことが好ましい。
【手続補正８】
【補正対象書類名】明細書
【補正対象項目名】００１３
【補正方法】変更
【補正の内容】
【００１３】
本発明のＣＯ２吸収液の飛散抑制方法においては、前記ミスト発生物質除去段階は、前記煤塵除去段階の前段階であって、前記排ガス中に重亜硫酸ナトリウムを注入するものであることが好ましい。
【手続補正９】
【補正対象書類名】明細書
【補正対象項目名】００１４
【補正方法】変更
【補正の内容】
【００１４】
本発明のＣＯ２吸収液の飛散抑制方法においては、前記ミスト発生物質除去段階は、前記煤塵除去段階の前段階であって、前記排ガス中にアンモニアを注入するものであることが好ましい。
【手続補正１０】
【補正対象書類名】明細書
【補正対象項目名】００１５
【補正方法】変更
【補正の内容】
【００１５】
本発明のＣＯ２吸収液の飛散抑制方法においては、前記ミスト発生物質除去段階は、前記煤塵除去段階と前記脱硫段階との間の段階であって、前記排ガス中に溶解塩を噴霧するものであることが好ましい。
【手続補正１１】
【補正対象書類名】明細書
【補正対象項目名】００１６
【補正方法】変更
【補正の内容】
【００１６】
本発明のＣＯ２吸収液の飛散抑制方法においては、前記ミスト発生物質除去段階は、前記脱硫段階と前記ＣＯ２回収段階との間の段階であって、湿式電気集塵機によって前記排ガス中のミスト発生物質をミスト状態で除去するものであることが好ましい。
【手続補正１２】
【補正対象書類名】明細書
【補正対象項目名】００１７
【補正方法】変更
【補正の内容】
【００１７】
本発明のＣＯ２吸収液の飛散抑制方法においては、前記冷却段階は、冷却塔の冷却部によって前記排ガスのガス温度を下げるものであり、前記ミスト発生物質除去段階は、前記冷却部の後流の前記冷却塔の塔頂部に設けられたデミスタによって前記排ガス中の微粒子を除去すると共に、排ガス中のミスト発生物質をミスト状態で除去するものであることが好ましい。
【手続補正１３】
【補正対象書類名】明細書
【補正対象項目名】００１８
【補正方法】変更
【補正の内容】
【００１８】
本発明のＣＯ２吸収液の飛散抑制方法においては、前記ミスト発生物質除去段階は、前記脱硫段階の前段階であって、前記排ガスのガス温度を降下させる第１の熱交換段階と、前記ガス温度が降下された前記排ガスに炭酸カルシウムを噴霧する炭酸カルシウム噴霧段階とからなることが好ましい。
【手続補正１４】
【補正対象書類名】明細書
【補正対象項目名】００１９
【補正方法】変更
【補正の内容】
【００１９】
本発明のＣＯ２吸収液の飛散抑制方法においては、前記ミスト発生物質除去段階は、前記脱硫段階の前段階であって、前記排ガスのガス温度を降下させて前記排ガス中のミスト発生物質をガス状態からミスト状態とする第２の熱交換段階と、前記ミスト状態のミスト発生物質を煤塵に付着させ乾式の電気集塵機で除去してなる除去段階とからなることが好ましい。
【手続補正１５】
【補正対象書類名】明細書
【補正対象項目名】００２０
【補正方法】変更
【補正の内容】
【００２０】
本発明のＣＯ２吸収液の飛散抑制方法によれば、ＣＯ２回収装置に導入する以前において、ミスト発生物質除去装置を設けたので、ＣＯ２吸収塔に導入される排ガス中のミスト発生物質の量が大幅に低減する。この結果、ミストに同伴されて系外へ飛散するＣＯ２吸収液の量が低減する。よって、系外へ飛散するＣＯ２吸収液のロスを大幅に低減することができると共に、排ガス処理におけるランニングコストの増大を抑制することができる。